(57)【要約】【課題】情報処理装置に接続された周辺装置の消費電力を低減する。【解決手段】ＳＤＲＡＭ（揮発性メモリ）を備えたＵＴ（周辺装置）１４は、記憶部を備えたＰＣ（情報処理装置）１２からの省電力モード移行通知（Ｓ１００）に応じて、ＳＤＲＡＭに保持されるデータ（ＳＤＲＡＭデータ）をＰＣ１２に送信する（Ｓ１０４，Ｓ１１０）。ＰＣ１２は、ＵＴ１４から送信されるＳＤＲＡＭデータを、記憶部に確保された退避領域に保存する（Ｓ１０２，Ｓ１１２，Ｓ１１４）。ＵＴ１４は、ＳＤＲＡＭデータがＰＣ１２に送信された後に、ＳＤＲＡＭへの給電を停止し、省電力モードに移行する（Ｓ１１８）。【選択図】図４
2010152501.tif 000002
【特許請求の範囲】
【請求項１】
記憶部を備えた情報処理装置と、
給電が停止されるまでデータを保持する揮発性メモリを備え、前記情報処理装置に接続される周辺装置と、
を含む情報処理システムであって、
前記周辺装置は、
前記情報処理装置からの省電力モード移行通知に応じて、前記揮発性メモリに保持されるデータを退避データとして前記情報処理装置に送信するデータ退避手段と、
前記退避データが前記情報処理装置に送信された後に、前記揮発性メモリへの給電を停止する給電制御手段と、
を含み、
前記情報処理装置は、
前記データ退避手段により送信される前記退避データを前記記憶部に保存する退避データ管理手段を含む、
ことを特徴とする情報処理システム。
【請求項２】
請求項１に記載の情報処理システムにおいて、
前記給電制御手段は、前記情報処理装置からの復帰指示に応じて、前記揮発性メモリへの給電を再開し、
前記退避データ管理手段は、前記揮発メモリへの給電が再開された後に、前記記憶部に保存された前記退避データを前記周辺装置に送信し、
前記周辺装置は、前記退避データ管理手段により送信される前記退避データを前記揮発性メモリに復元するデータ復元手段をさらに含む、
ことを特徴とする情報処理システム。
【請求項３】
請求項１または２に記載の情報処理システムにおいて、
前記退避データ管理手段は、前記省電力モード移行通知に応じて、前記退避データを保存するための退避領域を前記記憶部に確保する、
ことを特徴とする情報処理システム。
【請求項４】
給電が停止されるまでデータを保持する揮発性メモリを備え、情報処理装置に接続される周辺装置であって、
前記情報処理装置からの省電力モード移行通知に応じて、前記揮発性メモリに保持されるデータを退避データとして前記情報処理装置に送信するデータ退避手段と、
前記退避データが前記情報処理装置に送信された後に、前記揮発性メモリへの給電を停止する給電制御手段と、
を含むことを特徴とする周辺装置。
【請求項５】
給電が停止されるまでデータを保持する揮発性メモリを備えた周辺装置が接続される、記憶部を備えた情報処理装置であって、
前記周辺装置への省電力モード移行通知に応じて前記周辺装置から退避データとして送信される前記揮発性メモリに保持されるデータを、前記記憶部に保存する退避データ管理手段を含む、
ことを特徴とする情報処理装置。
【請求項６】
記憶部を備えた情報処理装置と、
給電が停止されるまでデータを保持する揮発性メモリを備え、前記情報処理装置に接続される周辺装置と、
を含む情報処理システムにおける省電力制御方法であって、
前記情報処理装置から前記周辺装置への省電力モード移行通知に応じて、前記揮発性メモリに保持されるデータを退避データとして前記情報処理装置に送信するステップと、
前記退避データが前記情報処理装置に送信された後に、前記揮発性メモリへの給電を停止するステップと、
前記データ退避手段により送信される前記退避データを前記記憶部に保存するステップと、
を含むことを特徴とする省電力制御方法。
【請求項７】
請求項６に記載の省電力制御方法において、
前記情報処理装置から前記周辺装置への復帰指示に応じて、前記揮発性メモリへの給電を再開するステップと、
前記揮発メモリへの給電が再開された後に、前記記憶部に保存された前記退避データを前記周辺装置に送信するステップと、
前記周辺装置に送信される前記退避データを前記揮発性メモリに復元するステップと、
をさらに含むことを特徴とする省電力制御方法。
【請求項８】
給電が停止されるまでデータを保持する揮発性メモリを備え、情報処理装置に接続されるコンピュータを、
前記情報処理装置からの省電力モード移行通知に応じて、前記揮発性メモリに保持されるデータを退避データとして前記情報処理装置に送信するデータ退避手段、および
前記退避データが前記情報処理装置に送信された後に、前記揮発性メモリへの給電を停止する給電制御手段、
として機能させるためのプログラム。
【請求項９】
給電が停止されるまでデータを保持する揮発性メモリを備えた周辺装置が接続される、記憶部を備えたコンピュータを、
前記周辺装置への省電力モード移行通知に応じて前記周辺装置から退避データとして送信される前記揮発性メモリに保持されるデータを、前記記憶部に保存する退避データ管理手段、
として機能させるためのプログラム。
【発明の詳細な説明】
【技術分野】
【０００１】
本発明は、情報処理システム、周辺装置、情報処理装置、省電力制御方法、およびプログラムに関し、特に、省電力技術に関する。
【背景技術】
【０００２】
近年、パソコンやゲーム機などの情報処理装置と組み合わせて使用する周辺装置が普及している。代表的な周辺装置として、たとえば、キーボードやマウスなどの入力装置、ディスプレイやプリンタなどの出力装置、ハードディスクやＵＳＢ（Universal Serial Bus）メモリなどの記憶装置、テレビ受信機や無線通信端末などの通信装置などが知られている。
【０００３】
これらの周辺装置の中には、情報処理装置の省電力モードへの移行に伴って、または情報処理装置からの指示に従って、省電力モード（スタンバイモード（サスペンドモード）、休止モード（ハイバーネーションモード）など）に移行するものがある。省電力モードに移行する周辺装置は、その消費電力を極力低減するために、ＳＤＲＡＭ（Synchronous Dynamic Random Access Memory：同期型ＤＲＡＭ）などの揮発性メモリ（給電が停止されるまでデータを保持するメモリ）や情報処理装置からの復帰指示を検出するための回路などの一部の回路を除き、各部への電力供給を停止する。
【０００４】
なお、特許文献１には、受信データのとりこぼしを防ぎながら、省電力モードから通常モードへ速やかに復帰することができる受信装置および通信装置が開示されている。
【特許文献１】特開２００１−２５７７３５号公報
【発明の開示】
【発明が解決しようとする課題】
【０００５】
しかしながら、従来の周辺装置は、情報処理装置からの復帰指示に応じて省電力モード移行前の状態に速やかに復帰できるよう、揮発性メモリに保存されたデータを省電力モード移行後もそのまま揮発性メモリに保持させている。すなわち、周辺装置が省電力モードに移行した後も揮発性メモリへの給電が継続されるため、周辺装置の消費電力を十分に低減することができない。
【０００６】
本発明は、上記従来の課題に鑑みてなされたものであり、情報処理装置に接続された周辺装置の消費電力を低減することができる情報処理システム、周辺装置、情報処理装置、省電力制御方法、およびプログラムを提供することを目的とする。
【課題を解決するための手段】
【０００７】
上記課題を解決するために、本発明に係る情報処理システムは、記憶部を備えた情報処理装置と、給電が停止されるまでデータを保持する揮発性メモリを備え、前記情報処理装置に接続される周辺装置と、を含む情報処理システムであって、前記周辺装置は、前記情報処理装置からの省電力モード移行通知に応じて、前記揮発性メモリに保持されるデータを退避データとして前記情報処理装置に送信するデータ退避手段と、前記退避データが前記情報処理装置に送信された後に、前記揮発性メモリへの給電を停止する給電制御手段と、を含み、前記情報処理装置は、前記データ退避手段により送信される前記退避データを前記記憶部に保存する退避データ管理手段を含む、ことを特徴とする。
【０００８】
本発明によれば、情報処理装置に接続された周辺装置が省電力モードへ移行する際に周辺装置の揮発性メモリへの給電が停止されるため、周辺装置の消費電力を低減することができる。
【０００９】
また、本発明の一態様では、前記給電制御手段は、前記情報処理装置からの復帰指示に応じて、前記揮発性メモリへの給電を再開し、前記退避データ管理手段は、前記揮発メモリへの給電が再開された後に、前記記憶部に保存された前記退避データを前記周辺装置に送信し、前記周辺装置は、前記退避データ管理手段により送信される前記退避データを前記揮発性メモリに復元するデータ復元手段をさらに含む。
【００１０】
この態様によれば、周辺装置の消費電力を低減しつつ、周辺装置を省電力モード移行前の状態に速やかに復帰させることができる。
【００１１】
なお、前記退避データ管理手段は、前記省電力モード移行通知に応じて、前記退避データを保存するための退避領域を前記記憶部に確保してもよい。
【００１２】
また、本発明に係る周辺装置は、給電が停止されるまでデータを保持する揮発性メモリを備え、情報処理装置に接続される周辺装置であって、前記情報処理装置からの省電力モード移行通知に応じて、前記揮発性メモリに保持されるデータを退避データとして前記情報処理装置に送信するデータ退避手段と、前記退避データが前記情報処理装置に送信された後に、前記揮発性メモリへの給電を停止する給電制御手段と、を含むことを特徴とする。
【００１３】
また、本発明に係る情報処理装置は、給電が停止されるまでデータを保持する揮発性メモリを備えた周辺装置が接続される、記憶部を備えた情報処理装置であって、前記周辺装置への省電力モード移行通知に応じて前記周辺装置から退避データとして送信される前記揮発性メモリに保持されるデータを、前記記憶部に保存する退避データ管理手段を含むことを特徴とする。
【００１４】
また、本発明に係る省電力制御方法は、記憶部を備えた情報処理装置と、給電が停止されるまでデータを保持する揮発性メモリを備え、前記情報処理装置に接続される周辺装置と、を含む情報処理システムにおける省電力制御方法であって、前記情報処理装置から前記周辺装置への省電力モード移行通知に応じて、前記揮発性メモリに保持されるデータを退避データとして前記情報処理装置に送信するステップと、前記退避データが前記情報処理装置に送信された後に、前記揮発性メモリへの給電を停止するステップと、前記データ退避手段により送信される前記退避データを前記記憶部に保存するステップと、を含むことを特徴とする。
【００１５】
また、本発明の一態様では、前記情報処理装置から前記周辺装置への復帰指示に応じて、前記揮発性メモリへの給電を再開するステップと、前記揮発メモリへの給電が再開された後に、前記記憶部に保存された前記退避データを前記周辺装置に送信するステップと、前記周辺装置に送信される前記退避データを前記揮発性メモリに復元するステップと、をさらに含む。
【００１６】
また、本発明に係るプログラムは、給電が停止されるまでデータを保持する揮発性メモリを備え、情報処理装置に接続されるコンピュータを、前記情報処理装置からの省電力モード移行通知に応じて、前記揮発性メモリに保持されるデータを退避データとして前記情報処理装置に送信するデータ退避手段、および前記退避データが前記情報処理装置に送信された後に、前記揮発性メモリへの給電を停止する給電制御手段、として機能させるためのプログラムである。
【００１７】
また、本発明に係るプログラムは、給電が停止されるまでデータを保持する揮発性メモリを備えた周辺装置が接続される、記憶部を備えたコンピュータを、前記周辺装置への省電力モード移行通知に応じて前記周辺装置から退避データとして送信される前記揮発性メモリに保持されるデータを、前記記憶部に保存する退避データ管理手段、として機能させるためのプログラムである。
【００１８】
なお、上記各プログラムは、インターネットなどの電気通信回線を通じて提供されてもよいし、フレキシブルディスク、ＣＤ−ＲＯＭ、ＤＶＤ−ＲＯＭなどのコンピュータ読み取り可能な情報記録媒体に格納されて提供されてもよい。
【発明を実施するための最良の形態】
【００１９】
以下、本発明の一実施形態を図面に基づいて詳細に説明する。
【００２０】
図１は、本発明の一実施形態に係る情報処理システム１０の構成図である。同図に示すように、情報処理システム１０は、ＰＣ（Personal Computer）１２と、周辺装置としてＰＣ１２に接続されるＵＴ（User
Terminal）１４と、を含んで構成される。
【００２１】
図２は、ＰＣ１２の機能ブロック図である。同図に示すように、ＰＣ１２は、揮発性メモリの１つであるＲＡＭ２０、不揮発性の記憶装置であるＨＤＤ（Hard Disk Drive）２２、制御部２４（ＵＳＢドライバ２６、ＵＴドライバ３０、動作モード制御部３４、給電制御部３６）、ＵＳＢポート３８、および液晶ディスプレイなどで構成される表示部４０を含む情報処理装置である。ＰＣ１２は、電力制御規格の１つであるＡＣＰＩ（Advanced Configuration and Power Interface）に準拠しており、スタンバイモード（ＡＣＰＩステータス３）、休止モード（ＡＣＰＩステータス４）など少なくとも２つの省電力モードに対応している。
【００２２】
図３は、ＵＴ１４の機能ブロック図である。同図に示すように、ＵＴ１４は、ＵＳＢ仕様に基づきＰＣ１２との通信を制御するＵＳＢコントローラ５０、制御部５２（データ退避部５４、データ復元部５６、給電制御部５８）、無線基地局（図示せず）と通信を行う無線通信部６０、および揮発性メモリの１つであるＳＤＲＡＭ６２を含む無線通信端末である。ＵＴ１４は、ＰＣ１２のＵＳＢポート３８に接続され、ＵＳＢポート３８を介してＰＣ１２から供給される電力によって動作する。
【００２３】
ＵＴ１４は、ＰＣ１２の省電力モードへの移行に伴って、省電力モードに移行する。ただし、ＵＴ１４は、省電力モードに移行する前に、ＳＤＲＡＭ６２に保持されているデータ（ＳＤＲＡＭデータ）をＰＣ１２側に退避させる。そして、省電力モードから復帰する際に、ＵＴ１４は、ＰＣ１２側に退避させていたＳＤＲＡＭデータをＳＤＲＡＭ６２に書き戻す。このため、情報処理システム１０では、ＰＣ１２に接続されたＵＴ１４が省電力モードに移行する際に、ＳＤＲＡＭ６２への給電を停止することできる。
【００２４】
以下では、上記処理を実現するためにＰＣ１２の制御部２４およびＵＴ１４の制御部５２が備える構成を説明する。
【００２５】
［制御部２４の構成］
ＰＣ１２の制御部２４は、たとえばＣＰＵ（Central Processing Unit）およびＣＰＵの動作を制御するプログラムで構成され、ＰＣ１２の各部を制御する。また、図２に示すように、制御部２４は、ＵＳＢドライバ２６（データ転送部２８）、ＵＴドライバ３０（退避データ管理部３２）、動作モード制御部３４、および給電制御部３６を機能的に含み、ＵＴ１４から送信されるＳＤＲＡＭデータの管理、ＰＣ１２各部への給電の制御などを行う。
【００２６】
ＵＳＢドライバ２６は、たとえばＨＤＤ２２に記憶されるＵＳＢドライバプログラムをＣＰＵが実行することにより実現される。ＵＳＢドライバ２６は、データ転送部２８を含み、ＵＴドライバ３０や実行中のアプリケーション（図示せず）などと、ＵＳＢポート３８に接続された周辺装置と、の間で送受されるデータを中継する。
【００２７】
ＵＴドライバ３０は、たとえばＨＤＤ２２に記憶されるＵＴ１４用のドライバプログラムをＣＰＵが実行することにより実現される。ＵＴドライバ３０は、ＵＳＢドライバ２６を介して、ＵＳＢポート３８に接続されたＵＴ１４との間で通信データおよび制御データを送受する。また、ＵＴドライバ３０は、退避データ管理部３２を含み、動作モード制御部３４からの指示に従ってＵＴ１４を省電力モード（スタンバイモードまたは休止モード）に移行させるための処理およびＵＴ１４を省電力モードから復帰させるための処理を行う。
【００２８】
動作モード制御部３４は、ＰＣ１２の動作モード（通常モード、スタンバイモード、休止モードなど）を制御するための指示をＰＣ１２の各部に出す。
【００２９】
給電制御部３６は、動作モード制御部３４からの指示に従って、ＰＣ１２各部（ＲＡＭ２０、ＨＤＤ２２、ＣＰＵ、ＵＳＢポート３８、表示部４０など）への給電を制御する。たとえば、スタンバイモードへの移行が指示された場合、給電制御部３６は、ＲＡＭ２０への給電は継続しつつ、ＨＤＤ２２、表示部４０などへの給電を停止する。一方、休止モードへの移行が指示された場合には、給電制御部３６は、ＲＡＭ２０に保持されているデータすべてがＨＤＤ２２に退避された後に、ＲＡＭ２０、ＨＤＤ２２、表示部４０などへの給電を停止する。その後、省電力モードからの復帰が指示されると、給電制御部３６は、休止していたＰＣ１２各部への給電を再開する。
【００３０】
［制御部５２の構成］
ＵＴ１４の制御部５２は、たとえばＣＰＵおよびＣＰＵの動作を制御するプログラムで構成され、ＵＴ１４の各部を制御する。図３に示すように、制御部５２は、データ退避部５４、データ復元部５６、および給電制御部５８を機能的に含み、ＳＤＲＡＭ６２に保持されているデータ（ＳＤＲＡＭデータ）の退避および復元、ＵＴ１４各部への給電の制御などを行う。
【００３１】
データ退避部５４は、ＰＣ１２からのＳＤＲＡＭデータ送信要求に応じて、ＳＤＲＡＭ６２に保持されているデータすべてをＳＤＲＡＭデータ（退避データ）としてＰＣ１２に送信する。
【００３２】
データ復元部５６は、ＰＣ１２の復帰に伴ってＰＣ１２から送信されるＳＤＲＡＭデータ（退避データ）を受信し、受信されたＳＤＲＡＭデータをＳＤＲＡＭ６２に復元する。
【００３３】
給電制御部５８は、ＰＣ１２からの省電力モード移行指示に応じて、ＵＴ１４各部（ＵＳＢコントローラ５０、ＣＰＵ、無線通信部６０、ＳＤＲＡＭ６２など）への給電を停止する。また、給電制御部５８は、ＰＣ１２からの復帰指示に応じて、休止していたＵＴ１４各部への給電を再開する。
【００３４】
次に、図４および図５を参照しながら、情報処理システム１０の省電力モード（スタンバイモードまたは休止モード）への移行動作および省電力モードからの復帰動作を説明する。
【００３５】
［省電力モードへの移行］
図４は、情報処理システム１０の省電力モードへの移行動作を示すシーケンス図である。ＰＣ１２が通常モードから省電力モードに移行する場合、まず、動作モード制御部３４からＵＴドライバ３０や実行中のアプリケーションなどに対して、省電力モード移行指示が出される。
【００３６】
ＵＴドライバ３０の退避データ管理部３２は、動作モード制御部３４からの省電力モード移行指示に応じて、ＵＴ１４に省電力モード移行通知を送信するとともに（Ｓ１００）、ＵＴ１４のＳＤＲＡＭデータを保存するための退避領域をＲＡＭ２０上に確保する（Ｓ１０２）。ここで、退避領域のサイズは、ＵＴ１４用のドライバプログラムに予め埋め込まれたパラメータ（ＳＤＲＡＭ６２の記憶容量など）に基づいて決定されてもよいし、ＵＴ１４に直接問い合わせることにより得られるＳＤＲＡＭデータの実サイズでもよい。
【００３７】
ＵＴ１４では、ＰＣ１２からの省電力モード移行通知に応じて、データ退避部５４が、ＳＤＲＡＭ６２に保持されているデータの送信準備に入る（Ｓ１０４）。そして、送信準備が完了すると、データ退避部５４は、ＰＣ１２にＡＣＫ（Acknowledgment：確認応答）を返信する（Ｓ１０６）。
【００３８】
ＰＣ１２が省電力モード移行通知（Ｓ１００）に対するＡＣＫを受信すると、退避データ管理部３２は、ＵＴ１４にＳＤＲＡＭデータ送信要求を送信する（Ｓ１０８）。
【００３９】
ＵＴ１４がＰＣ１２からＳＤＲＡＭデータ送信要求を受信すると、データ退避部５４は、ＳＤＲＡＭ６２に保持されているデータすべてを読み出し、読み出されたデータをＳＤＲＡＭデータ（退避データ）としてＰＣ１２に送信する（Ｓ１１０）。
【００４０】
ＰＣ１２がＵＴ１４から送信されたＳＤＲＡＭデータを受信すると（Ｓ１１２）、退避データ管理部３２は、受信されたＳＤＲＡＭデータをＳ１０２においてＲＡＭ２０上に確保された退避領域に保存する（Ｓ１１４）。ＳＤＲＡＭデータがＲＡＭ２０に保存された後、ＵＴドライバ３０は、ＵＴ１４に省電力モード移行指示を送信するとともに（Ｓ１１６）、動作モード制御部３４に省電力モードへの移行準備完了応答を出力する。
【００４１】
ＵＴ１４では、ＰＣ１２からの省電力モード移行指示に応じて、給電制御部５８は、ＵＴ１４各部（無線通信部６０、ＳＤＲＡＭ６２など）への給電を停止し、ＵＴ１４を省電力モードに移行させる（Ｓ１１８）。
【００４２】
また、ＰＣ１２では、動作モード制御部３４が、ＵＴドライバ３０などからの移行準備完了応答に応じて、給電制御部３６に省電力モード移行指示を出し、ＰＣ１２を省電力モードに移行させる（Ｓ１２０）。給電制御部３６は、省電力モード移行指示で指定された省電力モード（スタンバイモードまたは休止モード）に基づいて、ＰＣ１２各部への給電を停止する。なお、ＰＣ１２が休止モードに移行する場合、給電制御部３６は、ＲＡＭ２０に保持されているデータ（ＳＤＲＡＭデータを含む）がＨＤＤ２２へ退避された後に、ＰＣ１２各部への給電を停止する。
【００４３】
［省電力モードからの復帰］
図５は、情報処理システム１０の省電力モードからの復帰動作を示すシーケンス図である。ＰＣ１２が省電力モードから通常モードに復帰する場合、まず、動作モード制御部３４から給電制御部３６に対して、復帰指示が出される。
【００４４】
給電制御部３６は、動作モード制御部３４からの復帰指示に従って、ＰＣ１２各部への給電を再開することにより、ＰＣ１２を通常モードに復帰させる（Ｓ２００）。なお、ＰＣ１２が休止モードから通常モードに復帰する場合、ＨＤＤ２２に退避されていたＲＡＭ２０のデータ（ＳＤＲＡＭデータを含む）がＲＡＭ２０に復元される。
【００４５】
給電制御部３６による給電再開によってＰＣ１２が通常モードに復帰すると、動作モード制御部３４は、ＵＴドライバ３０や実行中であったアプリケ−ションなどに対してＰＣ１２の復帰完了を通知する。ＵＴドライバ３０の退避データ管理部３２は、動作モード制御部３４から復帰完了を通知されると、ＵＴ１４に復帰指示を送信する（Ｓ２０２）。
【００４６】
ＵＴ１４では、ＰＣ１２からの復帰指示に応じて、給電制御部５８が、ＵＴ１４各部（ＵＳＢコントローラ５０、ＣＰＵ、無線通信部６０、ＳＤＲＡＭ６２など）への給電を再開する（Ｓ２０４）。これにより、ＵＳＢコントローラ５０が起動し、ＵＴ１４とＰＣ１２との間でＵＳＢ仕様に基づく通信が可能となる。その後、ＵＴ１４は、ＰＣ１２にＡＣＫを返信する（Ｓ２０６）。
【００４７】
ＰＣ１２が復帰指示（Ｓ２０２）に対するＡＣＫを受信すると、退避データ管理部３２は、ＲＡＭ２０に保存されていたＵＴ１４のＳＤＲＡＭデータ（退避データ）を読み出し、読み出されたＳＤＲＡＭデータをＵＴ１４に送信する（Ｓ２０８）。
【００４８】
ＵＴ１４がＰＣ１２から送信されたＳＤＲＡＭデータを受信すると（Ｓ２１０）、データ復元部５６は、受信されたＳＤＲＡＭデータをＳＤＲＡＭ６２に展開し、省電力モード移行前のメモリ状態を復元する（Ｓ２１２）。その後、ＵＴ１４は、システムを再開させる（Ｓ２１４）。
【００４９】
以上説明した実施形態によれば、ＰＣ１２に接続されたＵＴ１４が省電力モードに移行する際にＳＤＲＡＭ６２への給電が停止されるため、ＵＴ１４の消費電力を低減することができる。また、ＳＤＲＡＭ６２に保持されるデータを退避させるための不揮発性の記憶手段（フラッシュメモリ、ＳＲＡＭ（Static Random Access Memory）など）をＵＴ１４に追加する必要がないため、ＵＴ１４のハードウェアコスト増大を防ぐこともできる。
【００５０】
なお、本発明は、上記実施形態に限定されるものではなく、種々の変形実施が可能である。
【００５１】
たとえば、上記実施形態では、ＰＣ１２の省電力モードへの移行に伴ってＵＴ１４が省電力モードに移行する例を示したが、ＰＣ１２は省電力モードに移行せずＵＴ１４だけが省電力モードに移行するような場合にも本発明は適用可能である。
【００５２】
また、ＰＣ１２とＵＴ１４とを接続するためのインターフェース規格として、ＵＳＢではなく、ＰＣＩ Ｅｘｐｒｅｓｓ（Peripheral Component Interconnect Express）やＰＣＭＣＩＡ（Personal Computer Memory Card International Association）などを用いてもよい。また、ＰＣ１２の電力制御規格として、ＡＣＰＩではなく、ＡＰＭ（advanced power management）などを用いてもよい。もちろん、ＵＴ１４は、無線通信機能とは異なる機能を有する周辺装置であってもよい。
【図面の簡単な説明】
【００５３】
【図１】本発明の実施形態に係る情報処理システムの構成図である。
【図２】本発明の実施形態に係るＰＣの機能ブロック図である。
【図３】本発明の実施形態に係るＵＴの機能ブロック図である。
【図４】本発明の実施形態に係る情報処理システムの省電力モードへの移行動作を示すシーケンス図である。
【図５】本発明の実施形態に係る情報処理システムの省電力モードからの復帰動作を示すシーケンス図である。
【符号の説明】
【００５４】
１０  情報処理システム、１２  ＰＣ、１４  ＵＴ、２０  ＲＡＭ、２２  ＨＤＤ、２４  制御部、２６  ＵＳＢドライバ、２８  データ転送部、３０  ＵＴドライバ、３２  退避データ管理部、３４  動作モード制御部、３６  給電制御部、３８  ＵＳＢポート、４０  表示部、５０  ＵＳＢコントローラ、５２  制御部、５４  データ退避部、５６  データ復元部、５８  給電制御部、６０  無線通信部、６２  ＳＤＲＡＭ。
【図１】
2010152501.tif 000003
【図２】
2010152501.tif 000004
【図３】
2010152501.tif 000005
【図４】
2010152501.tif 000006
【図５】
2010152501.tif 000007